(57)【要約】      （修正有）【課題】非接触型体温計の測定作業において、測定者が体温計本体を手で保持し、指でスイッチ操作を行うことによる、測定者間での接触感染リスクを防止する非接触型体温計用足踏みスタンドを提供する。【解決手段】非接触型体温計用足踏みスタンドは、ベース１に垂直支柱２を複数設け、垂直支柱２の先端部を水平支柱３で連結し、水平支柱３に体温計保持アーム４を設けたスタンドと、ベース部に配置する足踏みペダル１１と、体温計保持アーム４の先端部に非接触型体温計７を配置し、非接触型体温計７のスイッチ部に設けるスイッチ操作リング９と足踏みペダル１１とを、ワイヤーガイドサポート１４を介してワイヤー１５で連結した。本考案により、測定者は体温計を手で取り扱うことなく体温を測定できるため、測定者間の接触感染リスクを防止できる。【選択図】図１
0003228897.tif 000002
【実用新案登録請求の範囲】
【請求項１】
ベースに垂直支柱を複数設け、前記垂直支柱の先端部を水平支柱で連結し、前記連結支柱に体温計保持アームを設けたスタンドと、ベース部に配置する足踏みペダルと、体温計保持アームの先端部に非接触型体温計を配置し、前記非接触型体温計のスイッチ部に設けるスイッチ操作リングと足踏みペダルとを、ワイヤーガイドサポートを介してワイヤーで連結したことを特徴とする非接触型体温計用足踏みスタンド。
【請求項２】
前記水平支柱にフレキシブルチューブを介して鏡を設けることを特徴とする請求項１に記載の非接触型体温計用足踏みスタンド。
【請求項３】
前記ワイヤーガイドサポートにカメラを設けたことを特徴とする請求項１から２いずれか１項に記載の非接触型体温計用足踏みスタンド。
【考案の詳細な説明】
【技術分野】
【０００１】本考案は、非接触型体温計を立位での測定位置に保持し、足踏みペダルで非接触型体温計の操作スイッチを動作させ、測定者自身で体温測定可能としたスタンドに係わるものである。
【背景技術】
【０００２】体温測定手段として、人体からの赤外線を検知する非接触型の体温計は、測定者と被測定者が短時間で接触することなく測定可能であることから、体温確認の手段として活用されている。非接触型体温計の形状は、額を測定部位として測定操作が容易なガンタイプが広く用いられている。
【先行技術文献】
【特許文献】
【０００３】
【特許文献１】特開２００７−１１１５２４号（段落０００５、図１）
【０００４】例えば、特開２００７−１１１５２４号には、身体温度を非接触式に測定するための方法として、温度センサユニットが、身体測定領域の場所を特定検出し、温度センサユニットが、自動的に身体測定箇所に方向づけして測定する技術が効果されているが、機械的動作で測定する本考案とは技術的に相違する。
【考案の概要】
【考案が解決しようとする課題】
【０００５】非接触型体温計は、測定者と被測定者の接触を回避できるため感染症等の症状確認手段として有効である。しかしながら、測定時に測定者が非接触型体温計を手で扱うため、測定者から次の測定者への接触感染のリスクがあった。また、測定者と被測定者が異なる場合において、飛沫及び空気感線のリスクもあった。本考案は、非接触型体温計の測定操作を、測定者自身が足踏みで行うことによによって、非接触型体温計の操作に係わる接触感染リスクを、防止しようとするものである。
【課題を解決するための手段】
【０００６】ベースに垂直支柱を複数設け、前記垂直支柱の先端部を水平支柱で連結し、前記連結支柱に体温計保持アームを設けたスタンドと、ベース部に配置する足踏みペダルと、体温計保持アームの先端部に非接触型体温計を配置し、前記非接触型体温計のスイッチ部に設けるスイッチ操作リングと足踏みペダルとを、ワイヤーガイドサポートを介してワイヤーで連結したことを特徴とする。【０００７】更に、水平支柱にフレキシブルチューブを介して鏡と側面鏡を設けること、ワイヤーガイドサポートにカメラを設けたことを特徴とする。
【考案の効果】
【０００８】上述のように、本考案の非接触型体温計用足踏みスタンドは、測定者間での接触感染リスクの高い手操作での測定作業が回避される。また、測定結果を、測定者自身が確認できるため、測定者と被測定者間の飛沫感染及び空気感染も防止できる。以上より、特にウイルス等の感染症予防等に役立つ。
【図面の簡単な説明】
【０００９】
【図１】本考案の一例を示す正面図である
【図２】本考案の一例を示す側面図である
【図３】本考案の一例を示す平面図である
【図４】本考案のカメラ使用及び接触防止突き出しの一例を示す側面図である
【考案を実施するための形態】
【実施例】
【００１０】本考案について図面を引用して詳細に説明する。【００１１】例えば図１に示すように、金属製の角柱をコの字型に連結したベース１に、柱状部材で垂直支柱２を２本固定し、前記垂直支柱２の先端部を柱状部材の水平支柱３で連結する。連結支柱３には体温計保持アームジョイント５を介して体温計保持アーム４を設けてスタンドを構成する。【００１２】ベース部には足踏みペダル１１を配置し、体温計保持アーム４の先端部には体温計クランプジョイント６を介して非接触型体温計７を固定し、前記非接触型体温計７のスイッチ部に設けるスイッチ操作リング９と足踏みペダル１１を、ワイヤーガイドサポート１４を介してワイヤー１５で連結する。棒状部材には、断面形状が円柱、角柱など、材質は金属、樹脂、木材などが用いられるが、これに限定されるものではない。図２は本考案の一例を示す側面図、図３は本考案の一例を示す平面図である。【００１３】水平支柱３にはフレキシブルチューブ１６を介して鏡１７を設け、ワイヤーガイドサポート１４の先端部にはカメラ１８を設ける。【００１４】本構成により、体温測定者は自身の額部を非接触型体温計７に向け、足踏みペダル１１を踏み込むことで、ワイヤー１５が引かれ、非接触型体温計７のスイッチを押し込み、手で触れることなく体温を測定することができる。尚、足踏みペダルとスイッチの連動は、電気信号による電磁ソレノイドなどのアクチュエーターを用いてもよい。【００１５】正面鏡１７を設けることで、測定時に自身の額の位置を非接触型体温計７に対し適切な位置に調整することができる。【００１６】接触防止突き出し２０を設けることで、非接触型体温計７の測定センサー面と、体温測定者の接触を防止することができる。また、接触防止突き出しは、綿棒等をパイプに差し込むことで、安全であり接触時に容易に新しいものと交換できる。【００１７】側面鏡１８を設けることで、正面鏡に映った鏡文字の測定値を、側面鏡に映し、正常な文字として確認することができる。【００１８】非接触型体温計７の背面に表示される測定結果を鏡に映った体温計表示、あるいは、カメラで撮影された画像で確認することができる。尚、カメラ撮影のスイッチは足踏みペダル１１またはワイヤー１５に連動させてもよい。
【産業上の利用可能性】
【００１９】本考案の非接触型体温計用足踏みスタンドは工業生産が可能である。
【符号の説明】
【００２０】１  ベース
２  垂直支柱
３  水平支柱
４  体温計保持アーム
５  体温計保持アームジョイント
６  体温計クランプジョイント
７  非接触型体温計
８  保護ラバー
９  スイッチ操作リング
１０  スペーサーリング
１１  足踏みペダル
１２  足踏みペダルワイヤーフック
１３  ワイヤーガイド
１４  ワイヤーガイドサポート
１５  ワイヤー
１６  フレキシブルチューブ
１７  正面鏡
１８  側面鏡
１９  カメラ
２０  接触防止突き出し
【図１】
0003228897.tif 000003
【図２】
0003228897.tif 000004
【図３】
0003228897.tif 000005
【図４】
0003228897.tif 000006
【手続補正書】
【提出日】令和2年7月17日(2020.7.17)
【手続補正１】
【補正対象書類名】実用新案登録請求の範囲
【補正対象項目名】請求項１
【補正方法】変更
【補正の内容】
【請求項１】
ベースに垂直支柱を複数設け、前記垂直支柱の先端部を水平支柱で連結し、前記水平支柱に体温計保持アームを設けたスタンドと、ベース部に配置する足踏みペダルと、体温計保持アームの先端部に非接触型体温計を配置し、前記非接触型体温計のスイッチ部に設けるスイッチ操作リングと足踏みペダルとを、ワイヤーガイドサポートを介してワイヤーで連結したことを特徴とする非接触型体温計用足踏みスタンド。
【手続補正２】
【補正対象書類名】明細書
【補正対象項目名】０００６
【補正方法】変更
【補正の内容】
【０００６】ベースに垂直支柱を複数設け、前記垂直支柱の先端部を水平支柱で連結し、前記水平支柱に体温計保持アームを設けたスタンドと、ベース部に配置する足踏みペダルと、体温計保持アームの先端部に非接触型体温計を配置し、前記非接触型体温計のスイッチ部に設けるスイッチ操作リングと足踏みペダルとを、ワイヤーガイドサポートを介してワイヤーで連結したことを特徴とする。
【手続補正３】
【補正対象書類名】明細書
【補正対象項目名】００１１
【補正方法】変更
【補正の内容】
【００１１】例えば図１に示すように、金属製の角柱をコの字型に連結したベース１に、柱状部材で垂直支柱２を２本固定し、前記垂直支柱２の先端部を柱状部材の水平支柱３で連結する。水平支柱３には体温計保持アームジョイント５を介して体温計保持アーム４を設けてスタンドを構成する。